(57)【要約】【課題】  洗浄性能を高めた食器洗浄機を提供する。【解決手段】  上扉９と下扉１０とから成る扉体５によって外箱２の開口部を開閉可能とし、外箱２内に形成された洗浄槽８内に上かご１２，下かご１３，及びポンプ１４を設け、該ポンプ１４から２つの洗浄ノズル１５，１５に洗浄水を供給して噴射するとともに、上扉９洗浄槽８側内面の上方に案内板２３を配設し、上かご１２の上扉９近傍側に載置された湯呑み２８を洗浄可能な構成とした。【選択図】  図２
2006000125.tif 000002
【特許請求の範囲】
【請求項１】
本体と、前記本体内に設けられた洗浄槽と、前記本体前面に形成され食器の出し入れに供する開口部と、前記開口部を開閉する扉体と、被洗浄物を収納する複数のかごと、前記洗浄槽の底部に設けられ洗浄水を噴射する洗浄ノズルとを具備し、
前記複数のかごは、前記洗浄槽内の上方に配置される上かごと下方に配置される下かごから構成され、前記洗浄ノズルから噴射された洗浄水を前記上かごに収納された被洗浄物に向けて反射する案内手段を前記扉体の前記洗浄槽側の上かご近傍に設けたことを特徴とする食器洗浄機。
【請求項２】
扉体は上扉及び下扉から構成され、前記上扉に案内手段を設けたことを特徴とする請求項１記載の食器洗浄機。
【請求項３】
案内手段は、洗浄槽側に突出して設けられた案内板であることを特徴とする請求項１または２記載の食器洗浄機。
【請求項４】
案内板は、中央部から両端部に掛けて下方に傾斜する形状であることを特徴とする請求項３記載の食器洗い機。
【請求項５】
案内板は、食器かごの上方に配置され、中央部から両端部に掛けて突出長さが長くなっていることを特徴とする請求項４記載の食器洗い機。
【請求項６】
洗浄槽側面に壁面ノズルを設け、案内手段によって該壁面ノズルから噴射した洗浄水を上かごに収容された被洗浄物に案内することを特徴とする請求項１乃至５記載の食器洗浄機。 
【発明の詳細な説明】
【技術分野】
【０００１】
本発明は、洗浄ノズルを備えた食器洗浄機に関する。
【背景技術】
【０００２】
従来、食器洗浄機は、洗浄槽内底部に配設された洗浄ノズルにより洗浄槽内の食器かごに収納された被洗浄物を洗浄していた。ところが、食器が載置された状態では洗浄ノズルによる底部からの洗浄水が直接かかりにくい場所が存在するため、洗浄槽の天井に反射板を設けることによって、天井に当たった洗浄水を跳ね返して上方から食器に掛かり易くしていた（例えば、特許文献１参照。）。また、食器かごに反射板を配設し、洗浄ノズルから噴射された洗浄水を食器に向けて反射させ、効率よく食器を洗浄する食器洗浄機が開示されている。（例えば、特許文献２参照。）。
【特許文献１】実公昭４７−３１１７６号（第１図）
【特許文献２】実公昭４７−３５３１８号（第1図）
【発明の開示】
【発明が解決しようとする課題】
【０００３】
しかしながら、近年では、食器洗浄機を一般家庭の狭い台所に載置するために洗浄槽の容積を極力小さくしたいという要請がある一方で、一度にたくさんの食器を洗浄可能にするために洗浄槽内部の被洗浄物たる食器の収納点数を増加する要請もある。したがって、最近の食器洗浄機は、複数段に設けられた食器かご内の食器は複数段に設けられたかごに収容されているうえ、食器同士が一層密集してきている。このような状態では、洗浄槽の底部の洗浄ノズルから噴射された洗浄水の流路は下かごの食器により塞がれ易くなり、上かごに収納された食器にむらなく行き渡らせることは難しい。そのため、上述した特許文献２のように反射板を食器かごに別体として取り付けることも考えられる。しかし、この構造は、反射板が洗浄槽内の一定の容積を占めることになるため、食器載置容積を大きくする都合上好ましくない。
【０００４】
また、上かごに収容された食器に洗浄水を行き渡らせるため、洗浄槽の底部の洗浄ノズルに加えて洗浄槽側面に洗浄ノズルを備えた食器洗浄機がある。しかしながら、上かご扉体近傍に収容された食器は、洗浄ノズルから遠い位置に配置されることになり洗浄水が掛かり難く、汚れを十分に洗い流せないこともあった。
【０００５】
本発明は上述の事情に鑑みてなされたものであり、従ってその目的は、十分な食器収容スペースを確保しつつ、従来洗浄水が掛かり難く洗浄性能が低かった位置の食器に対して洗浄水を効率よく掛けることにより、洗浄性能を向上させた食器洗浄機を提供することにある。
【課題を解決するための手段】
【０００６】
上記目的を達成するために、本発明の食器洗浄機は、本体と、前記本体内に設けられた洗浄槽と、前記本体前面に形成され食器の出し入れに供する開口部と、前記開口部を開閉する扉体と、被洗浄物を収納する複数のかごと、前記洗浄槽の底部に設けられ洗浄水を噴射する洗浄ノズルとを具備し、前記複数のかごは、前記洗浄槽内の上方に配置される上かごと下方に配置される下かごから構成され、前記洗浄ノズルから噴射された洗浄水を前記上かごに収納された被洗浄物に向けて反射する案内手段を前記扉体の前記洗浄槽側の上かご近傍に設けたことを主たる特徴とするものである。
【発明の効果】
【０００７】
本発明の効果として、洗浄ノズルから噴射された洗浄水が案内され、上かごの扉体付近に載置された食器を効率よく洗浄できるので、以って、洗浄性能を向上させることができる。
【発明を実施するための最良の形態】
【０００８】
以下に、本発明の実施例について、図１〜４を参照して説明する。
【０００９】
図１は、食器洗浄機全体を示す斜視図である。食器洗浄機本体１は、矩形の箱状を成しており、外郭をなす外箱２と、前部下方に設けた前下部カバー３と、外箱２に形成された開口部４と、該開口部４を開閉する扉体５とから構成されている。そして、扉体５の前面には、洗浄コースや乾燥時間等の各種設定を行う操作パネル６と、該操作パネル６上方に窓部７を配設している。
【００１０】
図２は、食器洗浄機本体１の側面を一部破断して示す縦断面図であり、これを参照して食器洗浄機の構成について説明する。
【００１１】
外箱２内には洗浄槽８が設けられており、該洗浄槽８の開口部４を覆う扉体５は上扉９と下扉１０から構成されている。そして、開口部４を開閉する上扉９及び下扉１０から構成されており、上扉９及び下扉１０は、図示しないリンク機構によって連動するように連結されている。そのうち、下扉１０は、下端部の左右側で本体１に対して回動可能に軸支されたものであり、下方への回動によって開口部４の下部を開放する構成となっている。
【００１２】
そして、開放されて水平状態になった下扉１０上には、後述する下かご１３を引き出して載せることができ、被洗浄物たる食器等の取り出し作業を可能にしている。
【００１３】
一方、上扉９は、洗浄槽８側に湾曲した構造をしており、外箱２上部に摺動もしくは回動可能に軸支されている。そして、図示こそしないが、上扉９左右両端にそれぞれ設けた２つの支軸が本体１上方にそれぞれ形成された２つのガイド溝にしたがって摺動することにより、閉塞状態から本体１上方に移動し、開放状態となるよう配設されている。そして、洗浄槽８内は、扉体５を閉塞した状態にて本体１外に対して水密な状態となる。また、上扉９中央には、食器の乾燥を行うときに洗浄槽８内部から空気を排出するための排気口１１が設けられている。
【００１４】
洗浄槽８内には、複数の食器かごたる、上下２段に収納する上かご１２及び下かご１３が配設されている。上かご１２は樹脂により成形されており、湯呑み２８等を斜めに維持することによって効率よく収容しできるように所定の間隔で突起２７が設けられている。
【００１５】
そして、上かご１２には、取っ手１２ａが設けられていて、該取っ手１２ａを持ってスライド可能になっている。一方、下かご１３は、ステンレスによって皿２９や茶碗等を収容可能に形成されている。
【００１６】
洗浄槽８底部には、図示しない駆動装置により駆動されるポンプ１４及び２つの回転式の洗浄ノズル１５，１５（１つのみ図示）が設けられており、洗浄槽８背面には壁面ノズルたる背面ノズル１６が配設されている。これらの洗浄ノズル１５，１５及び背面ノズル１６は、上かご１２および下かご１３に収納された食器に洗浄水を噴射し、汚れを落とす洗浄行程及び濯ぎ行程を実行するためのものである。そして、洗浄ノズル１５，１５は、アーム部と、該アーム部に複数の孔によって構成されており、複数の孔からの洗浄水の噴射によってアーム部が回転するものである。また、背面ノズル１６は、洗浄槽８の背面を這うように構成された配水管１６ａを介してポンプ１４と接続されている。
【００１７】
また、該ポンプ１４は、洗浄槽８底部に貯留されている洗浄水を汲み上げて、洗浄時には洗浄ノズル１５及び背面ノズル１６に供給し、排水時には洗浄水を洗浄槽８外部へ排出するためのものである。このほか、図示こそしないが、洗浄槽８底部には洗浄後の食器に温風を吹き付け、乾燥に供するヒータ及びファン等が配設されている。該ヒータ及びファンは、洗浄行程及び濯ぎ行程時の洗浄水の加熱に供すると共に、乾燥行程時にヒータによって空気温度を上昇させ、ファンによって乾燥風を食器に吹き付けて乾燥に供するものである。
【００１８】
図３は、本体１から上扉９を取り外した状態で、洗浄槽８側の内面を示す斜視図である。上扉９の上辺には２つの突状部１７，１８が段状に配設され、扉体５の閉塞時には開口部４の上辺に配設された水封部材の２枚のリップ（図示しない）とそれぞれ当接して、洗浄槽８内を水密に保っている。
【００１９】
また、上扉９の側方には遮蔽リブ１９及び水封リブ２０がそれぞれ設けられていて、水封リブ２０は扉体５の閉塞時に開口部４の側辺に配設された水封部材（図示しない）と当接している。そして、遮蔽リブ１９は水封している部分に洗浄水が直撃するのを防止している。
【００２０】
さらに、上扉９の下端には当接部２１が設けられていて、扉体５の閉塞時には当接部２１前面が下扉１０の上端に設けられた水封部材（図示しない）と当接して、上扉９と下扉１０との間を水封している。
【００２１】
一方、上扉９上方中央には、排気口１１に連通したラビリンス構造２２が設けられており、主に乾燥時に洗浄槽８内の空気を排出しつつ、洗浄時に洗浄水が漏れないような構造を採っている。また、突状部１７，１８とラビリンス構造２２の間に位置して、案内板（案内手段）２３が設けられている。案内板２３は、上扉９内面から略水平に突出しており、中央部２４から両端部２５，２５に掛けて下方に傾斜するとともに、突出長さが増していく形状を採っている。この案内板２３は、洗浄ノズル１５または背面ノズル１６から噴射された洗浄水を上かご１２内に収容された食器にかかるよう反射する役割を果たしている。
【００２２】
また、中央部２４，及び両端部２５，２５の上方には、縦長のリブ２６が設けられており、このリブ２６を伝って洗浄水が滴下し易い構造となっている。
【００２３】
次に、図２乃至図４を参照して、案内板２３の作用について説明する。
【００２４】
食器洗浄機は、運転を開始すると、食器に付着した汚れを落とすための洗浄行程、汚れを落とした食器を濯ぐための濯ぎ行程、及び濯いだ食器を乾燥させるための乾燥行程を順次実行していく。そして、洗浄行程及び濯ぎ行程において、運転が開始されると、回転する洗浄ノズル１５から洗浄水が噴射する。洗浄水の一部は、下かご１３内に収容された皿２９などに衝突し、ほかは皿２９の隙間を通り抜けて上かご１２に向かう。そして、その上かご１２に向かった洗浄水の一部は、通常、扉体５の湾曲した内面に沿って方向を変えて洗浄槽８の天井に抜けていき、扉体５近傍の湯呑み２８には掛かり難い。しかし、その上かご１２に向かった洗浄水の一部は、扉体５の内面に衝突しながら矢印Ａ（図２及び図３参照）のような軌跡をたどり案内板２３に下方から衝突する。案内板２３の中央２４付近に当たった洗浄水は、一部は反射して後方の上かご１２上の食器にかかり、一部は案内板２３の傾斜に沿って両端２５，２５に流れ、そこから上かご１２上に載置された食器にかかる（図２及び図３の点線矢印Ｂ参照。）。
【００２５】
また、図４は背面ノズル１６噴射時の図２相当図であり、運転が開始されると背面ノズル１６は水平方向よりもやゝ上方に向けて洗浄水を噴射する。噴射された洗浄水の一部は矢印Ｃ（図４参照）に示すような軌跡をたどり、上かご１２に収納された食器の上を通過し、案内板２３の上方に衝突する。そのうち一部は衝突した勢いで跳ね返って上かご１２上に降り掛かり、一部は中央部２４から傾斜に沿って流れ、両端部２５，２５から下方へ流れ落ちる（図４の矢印Ｄ参照。）。
【００２６】
上記した構成によれば、次のような効果を奏する。
【００２７】
一般的に、上かご１２には湯呑み２８等の開口を斜め下方に向けて載置され、下かご１３には、皿２９等が載置される。したがって、このような状況下では、洗浄ノズル１５から噴射された洗浄水は下かご１２に収納された皿２９によって流路を塞がれるため、上扉９付近に届く洗浄水量は少なくなる。また、背面ノズル１６から噴射された洗浄水も、湯呑み２８等に衝突するなどして、上扉９近傍の上かご１２に収納された湯呑み２８、とりわけ湯呑み２８の糸底２８ａにかかる洗浄水の量は少なくなる。そのために、洗浄行程及び濯ぎ行程において、上かご１２の上扉９近傍に載置された食器が洗浄されにくい状態となっていた。
【００２８】
しかし、案内板２３を設けることにより、洗浄ノズル１５，１５から噴射された洗浄水のうち、上扉９の内面に沿って洗浄槽８天井へ抜けていた洗浄水が案内板２３によってせき止められるとともに、上かご１２内に載置された湯呑み２８の糸底２８ａに流れ落ちる。したがって、糸底２８ａに掛かる洗浄水量は従来よりも増すので、付着した汚れを洗い流すことができるようになり、以って、洗浄性能が向上する。
【００２９】
また、案内板２３の形状を、中央部２４から両端部２５，２５に掛けて下方に傾斜する形状としたので、洗浄水は中央部２４から傾斜に沿って両端部２５，２５に向かい流れ落ち易くなり、平板状に案内板２３を形成した場合と比較すると、上扉９近傍の上かご１２上に収容された食器への洗浄水の掛かりを良くし、洗浄性能を向上させることができる。
【００３０】
加えて、中央部２４から両端部２５，２５に掛けて突出長さを長くしたので、左右方向への洗浄水の飛散をより効果的に防止でき、もって、より確実に上かご１２に向かって洗浄水を案内することができる。
【００３１】
さらに、このような形状とした案内板２３によれば、背面ノズル１６から噴射された洗浄水は、上扉９の内面に衝突した後に案内板２３に流れ落ちるので、一部は案内板１３の中央部２４から傾斜に沿って両端部２５，２５に流れ落ちる。従って、従来は洗浄性能の低かった上扉９近傍の上かご１２上に収容された食器への洗浄水の掛かりを良くし、洗浄性能を向上させることができる。
【００３２】
なお、本発明は上記し且つ図面に示した実施例に限定されず、例えば、扉体５は１枚で構成されたものでもよく、案内手段は上扉９内面に設けた凹部によって構成してもよいなど、実施に際して本発明の要旨を逸脱しない範囲で種々変更して実施可能である。
【図面の簡単な説明】
【００３３】
【図１】本発明の実施例を示す食器洗浄機本体の斜視図
【図２】食器を収容した状態の食器洗浄機の側面を一部破断して示す縦断面図
【図３】上扉の洗浄槽側の内面から示した斜視図
【図４】背面ノズル噴射時の図２相当図
【符号の説明】
【００３４】
５  扉体
８  洗浄槽
９  上扉
１０  下扉
１２  上かご
１３  下かご
１４  ポンプ
１５  洗浄ノズル
１６  背面ノズル
２３  案内板
２４  中央部
２５  両端部
２６  リブ
２７  突起部
２８  湯呑み
２８ａ  糸底
２９  皿
【図１】
2006000125.tif 000003
【図２】
2006000125.tif 000004
【図３】
2006000125.tif 000005
【図４】
2006000125.tif 000006